(57)【要約】      （修正有）【課題】簡易な回路構成であって、且つ、安定して動作して回路素子に負担のかからない防犯回路を設けた遊技機を提供する。【解決手段】グランドレベルより高い第１レベルと第２レベルの間で二値的にレベル変化する払出制御信号ＰＡＹを、主制御基板から受ける払出制御基板を有し、払出制御信号ＰＡＹが、第１レベル又は第２レベルの何れかアクテイブなレベルであることに対応して、遊技者に対して有価物を払出す遊技機であって、払出信号ＰＡＹがグランドレベルである場合にはＯＦＦ動作する開閉回路８１を、払出制御基板のグランドラインに設けた。【選択図】図７
2011010661.tif 000002
【特許請求の範囲】
【請求項１】
グランドレベルより高い第１レベルと第２レベルの間で二値的にレベル変化する払出制御信号を、他の回路基板から受ける払出制御部を有し、
払出制御信号が、第１レベル又は第２レベルの何れかアクテイブなレベルであることに対応して、遊技者に対して有価物を払出す遊技機であって、
前記払出信号がグランドレベルである場合にはＯＦＦ動作する開閉回路を、前記払出制御部の電源ライン又はグランドラインに設けたことを特徴とする遊技機。
【請求項２】
前記開閉回路は、ＭＯＳ型トランジスタで構成され、
前記ＭＯＳ型トランジスタは、払出制御信号をゲート端子に受けている請求項１に記載の遊技機。
【請求項３】
払出制御部に配置されたインタフェイス素子と、他の回路基板に配置されたスイッチ回路と、他の回路基板に配置された電流制限抵抗とが直列接続されて構成され、
前記インタフェイス素子がＯＮ動作することに起因して有価物が払出される請求項１又は２に記載の遊技機。
【請求項４】
前記インタフェイス素子をＯＮ動作させるアクティブレベルの払出制御信号は、ＯＮ状態のスイッチ回路と電流制限抵抗との直列回路の両端電圧として生成されている請求項３に記載の遊技機。
【請求項５】
前記インタフェイス素子は、フォトカプラであって、前記フォトカプラのダイオードが、払出制御信号を受けている請求項３又は４に記載の遊技機。
【請求項６】
前記払出制御部は、有価物を払出す払出モータを駆動する第１電源と、インタフェイス素子に供給される第２電源と、前記インタフェイス素子をＯＮ動作させる払出制御信号と、グランド信号とを、他の回路基板から受けるよう構成されている請求項１〜５の何れかに記載の遊技機。
【請求項７】
払出モータに流れる駆動電流が所定値を超えると、飽和状態への移行動作を開始する正帰還ループを形成した２つのスイッチング素子を設けた請求項１〜６の何れかに記載の遊技機。
【請求項８】
前記２つのスイッチング素子は、ＮＰＮ型トランジスタとＰＮＰ型トランジスタとで構成され、全体としてサイリスタ構造を実現している請求項７に記載の遊技機。
【請求項９】
前記インタフェイス素子がＯＮ状態からＯＦＦ状態に遷移するとＯＮ動作する短絡素子が、前記払出モータの入力端子間に設けられている請求項３〜８の何れかに記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【先行技術文献】
【特許文献】
【０００５】
【特許文献１】特開２００５−１４３６５６号公報
【特許文献２】特願２００８−２２２３４４号
【発明の概要】
【発明が解決しようとする課題】
【０００６】
ところが、メダル払出信号ＰＡＹがＬレベルになると、払出モータが回転を始めるので、この関係を悪用して、接続コネクタの部分でメダル払出信号の信号ラインをグランドに落とす違法行為が懸念されるところである。例えば、一旦、外した接続コネクタに、極細の短絡片を配置した後、再度、元の状態に戻すなどの違法行為が考えられる。ここで、特許文献１に記載の発明も提案されているが、簡易性にかけるので必ずしも適切な対策とはいえない。
【０００７】
ここで、直流モータを回転させるための駆動電源を、払出動作時にだけ供給する構成を採ることもできるが（例えば、特許文献２）、このような構成を採ると、営業時間中に電源のＯＮ／ＯＦＦ動作を何度も繰り返すことになるので、電源投入時のラッシュ電流による回路素子の疲弊が問題となる。
【０００８】
本発明は、上記の問題点に鑑みてなされたものであって、簡易な回路構成であって、且つ、安定して動作して回路素子に負担のかからない防犯回路を設けた遊技機を提供することを目的とする。
【課題を解決するための手段】
【０００９】
上記の目的を達成するため、本発明は、グランドレベルより高い第１レベルと第２レベルの間で二値的にレベル変化する払出制御信号を、他の回路基板から受ける払出制御部を有し、払出制御信号が、第１レベル又は第２レベルの何れかアクテイブなレベルであることに対応して、遊技者に対して有価物を払出す遊技機であって、前記払出信号がグランドレベルである場合にはＯＦＦ動作する開閉回路を、前記払出制御部の電源ライン又はグランドラインに設けたことを特徴とする。
【００１０】
本発明では、定常的にはＯＮ状態である開閉回路が、払出信号がグランドレベルとなる異常時にはＯＦＦ状態となる。そのため、異常時には電流ラインが遮断されることで、違法行為を確実に排除することができる。
【００１１】
電源ラインに開閉回路を配置する場合には、好ましくは、ＤＣモータを回転させるための直流電源（実施例では２４Ｖ）を、異常時に遮断すべきである。但し、電子素子を動作させるための直流電源（実施例では５Ｖ）を遮断したのでも良い。なお、本発明の電源ラインは、好ましくは、直流電源ラインを意味するが、交流電源ラインを排除する趣旨ではない。
【００１２】
また、グランドラインに開閉回路を配置すれば、複数の電源ラインを一気に遮断できるので、簡易性及び確実性において優れている。
【００１３】
前記開閉回路は、好ましくは、ＭＯＳ型トランジスタで構成され、前記ＭＯＳ型トランジスタは、払出制御信号をゲート端子に受けている。また、払出制御部に配置されたインタフェイス素子と、他の回路基板に配置されたスイッチ回路と、他の回路基板に配置された電流制限抵抗とが直列接続されて構成されるのが好ましく、前記インタフェイス素子がＯＮ動作することに起因して有価物が払出される。この場合には、前記インタフェイス素子をＯＮ動作させるアクティブレベルの払出制御信号は、ＯＮ状態のスイッチ回路と電流制限抵抗との直列回路の両端電圧として生成されているのが好適である。
【００１４】
前記インタフェイス素子は、特に限定されないが、フォトカプラであるのが好ましく、フォトカプラのフォトダイオードが、払出制御信号を受けるのが簡易的である。例えば、フォトカプラのように、電流値に対応してＯＮ／ＯＦＦ動作をする回路素子を使用すると、グランドレベルより高い第１レベルと第２レベルの間で二値的にレベル変化する払出制御信号で制御するのが容易である。
【００１５】
前記払出制御部は、好ましくは、有価物を払出す払出モータを駆動する第１電源と、インタフェイス素子に供給される第２電源と、前記インタフェイス素子をＯＮ動作させる払出制御信号と、グランド信号とを、他の回路基板から受けるよう構成されている。
【００１６】
なお、払出モータに流れる駆動電流が所定値を超えると、飽和状態への移行動作を開始する正帰還ループを形成した２つのスイッチング素子を設けるのが動作安定上、好ましく、２つのスイッチング素子は、ＮＰＮ型トランジスタとＰＮＰ型トランジスタとで構成され、全体としてサイリスタ構造を実現していると更に好ましい。また、前記インタフェイス素子がＯＮ状態からＯＦＦ状態に遷移するとＯＮ動作する短絡素子が、前記払出モータの入力端子間に設けられていると制動動作が容易である。
【発明の効果】
【００１７】
上記した本発明によれば、簡易な回路構成であって、且つ、安定して動作して回路素子に負担のかからない遊技機を実現することができる。
【図面の簡単な説明】
【００１８】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板とメダル払出制御基板との接続関係を示すブロック図である。
【図７】メダル払出制御基板の回路構成を示す回路図である。
【図８】主制御部におけるメダル払出動作を説明するフローチャートである。
【図９】払出動作時におけるメダル払出制御基板の動作を説明する図面である。
【図１０】払出禁止時におけるメダル払出制御基板の動作を説明する図面である。
【図１１】違法行為時のメダル払出制御基板の動作を説明する図面である。
【発明を実施するための形態】
【００１９】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００２０】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００２１】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００２２】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２３】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２４】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２５】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２６】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２７】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２８】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２９】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００３０】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００３１】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００３２】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３３】
図６は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ５Ｖと、ＤＣ２４Ｖとを受けている。ここで、接続コネクタＣＮ３，ＣＮ４において、メダル払出信号ＰＡＹの隣に、ＤＣ５Ｖが配置されており、グランドラインＧＮＤは配置されていない。なお、当然ながら、メダル払出制御基板５５のグランドラインＧＮＤは、主制御基板５０と共通である。
【００３４】
メダル払出信号ＰＡＹは、払出すべきメダル枚数に対応するパルス幅τを有し、出力トランジスタＱａと、出力トランジスタＱａのコレクタに接続されたコレクタ抵抗Ｒａとを経由して主制御基板５０から出力される。コレクタ抵抗Ｒａは、メダル払出制御基板５５に配置されたフォトカプラＰＣ及び抵抗Ｒ１を経由して、電源電圧Ｖｃｃ＝５Ｖに接続されている（図７）。したがって、出力トランジスタＱａのＯＮ動作時、メダル払出信号ＰＡＹの電圧レベルは、アクティブレベルのＩｏｎ＊Ｒａ＋ＶＣＥ［Ｖ］となる。
【００３５】
ここで、ＶＣＥは、出力トランジスタＱａのコレクタ−エミッタ飽和電圧であり、０．３Ｖ程度である。また、抵抗Ｒａ，Ｒ１は、トランジスタＱａとフォトカプラＰＣに対する電流制限抵抗であり、１００〜１５０Ω程度に設定されて、トランジスタのオン電流Ｉｏｎ＝（５−ＶＦ−ＶＣＥ）／（Ｒ１＋Ｒａ）を１４ｍＡ程度に制限している。また、ＶＦは、フォトカプラＰＣの発光ダイオードの順方向電圧降下でありＶＦ≒１．２Ｖであるので、結局、アクティブレベルのメダル払出信号ＰＡＹ（＝Ｉｏｎ＊Ｒａ＋ＶＣＥ）は、例えば、２．５Ｖ程度となる。
【００３６】
一方、出力トランジスタＱａのＯＦＦ動作時には、メダル払出信号ＰＡＹは、電源電圧Ｖｃｃに対応してほぼ５Ｖの非アクティブレベルとなる。なお、違法行為者がコネクタＣＮ１〜ＣＮ４の部分を悪用して、メダル払出信号ＰＡＹを、グランド電位に落とした場合には、当然ながら、メダル払出信号ＰＡＹは０Ｖとなる。
【００３７】
図７は、メダル払出制御基板５５の回路構成を具体的に図示したものである。図６に関して説明した通り、メダル払出制御基板５５は、コネクタＣＮ４を通して払出中継基板６３に接続され、主制御基板５０から、ＤＣ２４Ｖ、ＤＣ５Ｖ、及びメダル払出信号ＰＡＹを受けている。そして、メダル払出制御基板５５のコネクタＣＮ５には、払出モータＭＯが接続されて、メダル払出信号ＰＡＹがアクティブレベルであれば、払出モータＭＯがＤＣ２４Ｖを受けて連続して回転するようになっている。
【００３８】
メダル払出制御基板５５には、フォトカプラＰＣによる信号伝送回路８０と、ＭＯＳトランジスタＱｂによる開閉回路８１と、バイポーラトランジスタＱ３，Ｑ４による電流制限回路８２と、ＭＯＳトランジスタＱ５による駆動制御回路８３と、ＭＯＳトランジスタＱ６による動作禁止回路８４とが設けられている。
【００３９】
信号伝送回路８０は、電流制限抵抗Ｒ１と、フォトカプラＰＣとの直列回路で構成されている。そして、フォトカプラＰＣの発光ダイオードＤと、抵抗Ｒ１と、主制御基板の電流制限抵抗Ｒａと、出力トランジスタＱａとで、ＤＣ５Ｖを受ける電流閉回路が構成される。そのため、出力トランジスタＱａがＯＮ動作すると、フォトカプラＰＣの発光ダイオードに、Ｉｏｎ＝（５−ＶＦ−ＶＣＥ）／（Ｒ１＋Ｒａ）の順方向電流が流れる。この点は前記した通りである。
【００４０】
開閉回路８１は、ＮチャンネルＭＯＳトランジスタＱｂと、ゲート抵抗Ｒｂとで構成されている。図示の通り、ゲート抵抗Ｒｂは、トランジスタＱｂのゲート端子に接続されると共に、トランジスタＱａのコレクタ抵抗Ｒａと、フォトカプラＰＣの発光ダイオードＤとに接続されている。したがって、トランジスタＱｂのゲート端子は、アクティブレベル又は非アクティブレベルのメダル払出信号ＰＡＹを、受けることになる。
【００４１】
また、トランジスタＱｂのソース端子とドレイン端子とは、メダル払出制御基板５５のグランドラインをＯＮ／ＯＦＦ制御する位置に接続されている。すなわち、トランジスタＱｂのソース端子は、メダル払出制御基板のグランドに接続され、トランジスタＱｂのドレイン端子は、抵抗Ｒ１３とトランジスタＱ５とを経由して払出モータＭＯの（−）端子に接続されている。そのため、トランジスタＱｂがＯＦＦ状態であれば、他の素子の動作状態に拘らず、払出モータＭＯに電流が流れず、払出動作が実現されることはない。
【００４２】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００４３】
トランジスタＱ３のエミッタ端子は、フォトカプラのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００４４】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００４５】
駆動制御回路８３は、ＮチャンネルＭＯＳトランジスタＱ５と、バイアス抵抗Ｒ９と、コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００４６】
動作禁止回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１と、ポリスイッチＲＴとで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００４７】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００４８】
ポリスイッチＲＴは、ＰチャンネルＭＯＳトランジスタＱ２のドレイン端子と払出モータＭＯの（＋）端子との間に接続されている。ここでポリスイッチとは、ポリマー系のＰＴＣ（Positive Temperature Coefficient)サーミスタであり、素子温度が所定値より上昇すると、正常状態では１Ω以下の抵抗値が、急激に増加して１０４Ω〜１０６Ω程度になる特性を有している。したがって、例えば、払出モータＭＯの配線の短絡などによって過大電流が流れる場合には、ＤＣ２４Ｖの電源ラインを開放状態にする役目を果たす。なお、このポリスイッチＲＴは、電流制限回路８２が機能しないようなトラブル時に大きな意義がある。
【００４９】
続いて、主制御部５０において実行されるメダル払出処理について図８のフローチャートに基づいて説明する。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００５０】
一方、このようにしてクレジット数が上限値に達するか、或いは、もともと上限値に達している場合には、メダル払出信号ＰＡＹをＯＮレベル（アクティブレベル）にする（ＳＴ１５）。具体的には、主制御部５０の出力トランジスタＱａをＯＮ動作させて、メダル払出制御基板５５のフォトカプラＰＣをＯＮ動作させる。この結果、払出モータＭＯが回転を開始してメダルの払出が開始される。
【００５１】
そこで、次に、払出センサＳＥ（図５）がメダル払出を検出したか否か判定され（ＳＴ１６）、所定の待機時間、メダルの払出が検出されるのを待つ（ＳＴ１８）。そして、メダルの払出が検出されれば、払出枚数を減算し（ＳＴ１７）、残余払出枚数が０になるまで同じ動作を繰返す。一方、所定の待機時間を超えても、払出センサＳＥがメダルの払出を検出しない場合は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００５２】
このような処理を繰返していると、やがて、残余払出枚数が０になるので（ＳＴ１３）、メダル払出信号ＰＡＹをＯＦＦ状態にして処理を終える（ＳＴ１４）。具体的には、主制御部５０の出力トランジスタＱａをＯＦＦ動作させ、メダル払出制御基板５５のフォトカプラＰＣをＯＦＦ動作させる。この結果、払出モータＭＯの回転が停止される。
【００５３】
図９〜図１０は、メダル払出動作を説明するための図面である。先ず、主制御部５０の出力トランジスタＱａがＯＮ状態となった場合（ＳＴ１５）について、図９に基づいて説明する。この場合には、ＤＣ５Ｖ→抵抗Ｒ１→フォトカプラの発光ダイオードＤ→抵抗Ｒａ→出力トランジスタＱａの経路で、ＯＮ電流Ｉｏｎが流れる。先に説明した通り、この時には、メダル払出信号ＰＡＹが２．５Ｖ程度のアクティブレベルである。そのため、開閉回路８１のトランジスタＱｂもＯＮ状態であり、グランドラインは、正常な導通状態を維持する。
【００５４】
そして、フォトカプラのトランジスタＴｒを通過する直流電流は、ダイオードＤ１→抵抗Ｒ６→Ｒ７の経路に流れる。また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００５５】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００５６】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００５７】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００５８】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ１８の経路で電流が流れると共に、ダイオードＤ１→抵抗Ｒ６→抵抗Ｒ１８の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００５９】
次に、図１０に基づいて、主制御部５０の出力トランジスタＱａがＯＦＦ状態となった場合（ＳＴ１３）の動作を説明する。
【００６０】
この場合には出力トランジスタＱａがＯＦＦ状態であるのでフォトカプラＰＣに電流が流れないが、開閉回路８１のトランジスタＱｂのゲート端子とグランド間の漂遊容量は、約５Ｖまで充電される。そのため、トランジスタＱｂはＯＮ状態であって、グランドラインは、正常な導通状態を維持する。
【００６１】
一方、出力トランジスタＱａがＯＦＦ状態であることから、フォトカプラＰＣはＯＦＦ状態となり、トランジスタＱ３，Ｑ４，Ｑ５はＯＮ状態とならない。但し、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００６２】
このトランジスタＱ６のＯＮ動作は、フォトカプラＰＣのＯＮからＯＦＦへの遷移時に実行されるので、発電機として機能する払出モータＭＯの出力電流がトランジスタＱ６の短絡電流として吸収され、払出モータＭＯの回転にブレーキがかかる。そのため、本実施例の構成によれば、慣性力によるメダルの過払いが防止される。
【００６３】
次に、図１１に基づいて、違法行為時について説明する。なお、主制御部５０の出力トランジスタＱａは、ＯＦＦ状態である。例えば、違法遊技者がコネクタＣＮ４のメダル払出信号ＰＡＹの信号線を、グランドラインＧＮＤに接触させた場合を考える。
【００６４】
すると、図示のＯＮ電流が流れるのでフォトカプラＰＣもＯＮ状態になる。しかし、開閉回路８１のトランジスタＱｂのゲート端子がグランドレベルになることで、トランジスタＱｂはＯＮ状態からＯＦＦ状態に遷移する。そのため、グランドラインが遮断されることになって、払出モータＭＯによる払出動作が開始されることはない。したがって、違法行為によってメダルを違法に取得することはできない。
【００６５】
ところで、メダル払出信号ＰＡＹの信号線を、直接、グランドラインＧＮＤに接触させるのではなく、電流制限抵抗Ｒａに対応する抵抗体を介して、メダル払出信号ＰＡＹの信号線をグランドラインＧＮＤに接触させた場合には、違法行為が成功するとも思われる。しかしながら、一旦、外したコネクタＣＮ４を元の状態に戻さない限り、払出モータＭＯへの通電が実現されないところ、コネクタＣＮ４の中に極細の短絡片を配置することはできても、１００Ω程度の抵抗体をコネクタＣＮ４の中に配置することは事実上不可能であるので、違法行為を成功させることはできない。なお、本実施例では、メダル払出信号ＰＡＹの信号線とグランドラインＧＮＤとが離間して配置されているので尚更である。
【００６６】
以上、本発明の実施例について具体的に説明したが、具体的な記載内容は特に本発明を限定する趣旨ではなく、適宜に変更可能である。
【００６７】
例えば、実施例では、開閉回路８１をグランドラインに設けたが、これに代えて、ＤＣ２４Ｖの電源ラインに同様の開閉回路８１を設けても良い。また、この実施例では、払出モータとして、ブラシモータなどのＤＣモータを使用したが、ステッピングモータの使用や、交流モータの使用を排除する趣旨ではない。例えば、交流モータを使用する場合には、開閉回路は、グランドラインか交流電源ラインに配置される。
【００６８】
なお、実施例ではスロットマシンについて説明したが、遊技球を払出す弾球遊技機に本発明を適用しても良い。
【符号の説明】
【００６９】
ＰＡＹ    払出制御信号
５０      他の回路基板
５５      払出制御部
８１      開閉回路
ＳＬ      遊技機（スロットマシン）
【図１】
2011010661.tif 000003
【図２】
2011010661.tif 000004
【図３】
2011010661.tif 000005
【図４】
2011010661.tif 000006
【図５】
2011010661.tif 000007
【図６】
2011010661.tif 000008
【図７】
2011010661.tif 000009
【図８】
2011010661.tif 000010
【図９】
2011010661.tif 000011
【図１０】
2011010661.tif 000012
【図１１】
2011010661.tif 000013